(57)【特許請求の範囲】
【請求項１】
純度９７．００ｗｔ％〜９９．９９ｗｔ％の錫を鋳造し中実の丸棒状に形成され、端部が硬質の金属よりなる保持部に埋め込まれており、保持部内に抜け止め部を有し、錫を型に流し込む際に保持部内にも錫を流し込んで固めてあることを特徴とする医療器具。
【発明の詳細な説明】
【技術分野】
【０００１】
本発明は、脳外科手術の際に用いられる脳へらや、手術器具を支持するアーム等の医療器具に関する。
【背景技術】
【０００２】
従来の医療器具は、ステンレスやチタン等の硬い材料で形成されている。例えば脳外科の手術においては、切開した脳膜を開いた状態に保持したり、脳の組織をかき分けて患部を露出させたりするのに脳へらという器具が用いられるが、この脳へらは患部の状況に応じて先端部を屈曲させなければならない場合が多く、従来の脳へらは硬く曲げにくいため、所望の形状に屈曲させるのが容易ではなかった。
【０００３】
特許文献１には、可撓性のチューブの壁に銅板製のへらを固定した脳へらが開示されているが、銅板製のものでも曲げるのに相当な力を要し、思い通りの形に屈曲させるのが容易ではなく、また曲げたチューブの反発力により、形状が変化するおそれがある。
【先行技術文献】
【特許文献】
【０００４】
【特許文献１】特開２００５−３２３７９３号公報
【発明の概要】
【発明が解決しようとする課題】
【０００５】
本発明は以上に述べた実情に鑑み、自由に変形させることができ、且つ変形した状態を維持することのできる医療器具の提供を目的とする。
【課題を解決するための手段】
【０００６】
上記の課題を達成するために請求項１記載の発明による医療器具は、純度９７．００ｗｔ％〜９９．９９ｗｔ％の錫を鋳造し中実の丸棒状に形成され、端部が硬質の金属よりなる保持部に埋め込まれており、保持部内に抜け止め部を有し、錫を型に流し込む際に保持部内にも錫を流し込んで固めてあることを特徴とする。
【発明の効果】
【０００８】
請求項１記載の発明による医療器具は、純度９７．００ｗｔ％〜９９．９９ｗｔ％の錫を鋳造し中実の丸棒状に形成したので、非常に柔らかく、曲げたりねじったりして自由に形を変形させられ、且つ変形した状態を維持して反発力が生じない。そのため、本発明の医療器具を手術等で用いることで、より適切な処置が能率よく行えることとなる。
さらに本発明の医療器具は、端部が硬質の金属よりなる保持部に埋め込まれているので、この硬い保持部を他の器具に接続して医療器具を固定することができ、柔らかい錫で形成された部分が傷ついたり折れたりすることがなく、さらに保持部内に抜け止め部を有しており、且つ錫を型に流し込む際に保持部内にも錫を流し込んで固めてあるので、錫で形成された部分が抜ける心配もない。
【図面の簡単な説明】
【００１０】
【図１】（ａ）は本発明の医療器具の第１実施形態に係る脳へらアームの平面図であり、（ｂ）はこの脳へらアームの末端部の拡大縦断面図である。
【図２】図１に示す脳へらアーム及び本発明の医療器具の第２実施形態に係るフレキシブルアームの使用状態を示す斜視図である。
【図３】（ａ）は本発明の第３実施形態に係る脳へらの平面図、（ｂ）は同脳へらの先端部を拡大して示す斜視図である。
【図４】本発明の医療器具の第４実施形態に係るマイクロハンドアームを示す斜視図である。
【図５】本発明の医療器具の第５実施形態に係る排水ガードを示す斜視図である。
【図６】本発明の医療器具の第６実施形態に係る手開き具を示す平面図である。
【図７】同手開き具の使用状態を示す図であって、（ａ）は手の甲側から見た図、（ｂ）は手のひら側から見た図である。
【発明を実施するための形態】
【００１１】
以下、本発明の実施の形態を図面に基づいて説明する。図１は、本発明に係る医療器具の第１実施形態であって、脳外科の手術の際に用いられる脳へらアーム１を示している。本脳へらアーム１は、純度９７．００ｗｔ％〜９９．９９ｗｔ％の錫のインゴットを溶かし、型に流し込んで直径５〜１０ｍｍ程度の丸棒状に成型し、先端部１ａを潰してへら状にしている。末端部１ｂは、ステンレス製のパイプよりなる保持部２に埋め込まれており、その内部には先端に太径部３を有するピン４が保持部２に溶接して設けてある。錫を型に流し込む際に、保持部２内にも錫を流し込んで固めることで、ピン４の太径部３により錫で形成された棒状の部分が保持部２から抜けるのを防ぐことができる。
【００１２】
本脳へらアーム１は、純度９７．００ｗｔ％〜９９．９９ｗｔ％の錫で形成してあるので、非常に柔らかく、図２に示すように、曲げたりねじったりして形を自由に変形させられ、且つ変形した形を維持することができ、反発力が生じない。そのため、切開した脳膜を開いた状態に保持したり、脳の組織をかき分けて患部を露出させたりする作業を、正確に手際よく行うことができ、より適切な処置を行うことができる。また本脳へらアーム１は、末端部１ｂにステンレス製のパイプよりなる保持部２を備えているので、保持部２を保持することで安定して固定することができ、柔らかい錫で形成された部分が傷ついたり折れたりすることがなく、保持部２内に設けたピン４により、錫で形成された部分が抜ける心配もない。
【００１３】
図２は、本発明の医療器具の第２実施形態であって、前記の脳ヘラアーム１等の器具を固定するのに用いられるフレキシブルアーム５を示している。本フレキシブルアーム５は、アーム部６が純度９７．００ｗｔ％〜９９．９９ｗｔ％の錫を鋳造し直径１０〜２０ｍｍ程度の丸棒状に形成してあり、自由に曲げることができ、且つ曲げた状態を維持することができる。アーム部６の末端部６ｂは、アルミ等の金属で形成したベース金具７に埋め込み、ネジ８で固定してある。ベース金具７は、ベッド９のフレームに固定できるようになっている。アーム部６の先端部６ａは、チタン等の硬質の金属で形成した取付金具１０に埋め込み、ネジ１１で固定している。取付金具１１には、器具取付孔１２と止めネジ１３を有し、前述の脳ヘラアーム１の保持部２を器具取付孔１２に差し込み、止めネジ１３を締めつけて保持部２を固定している。
【００１４】
図３は、本発明の医療器具の第３実施形態であって、手で持って使用する脳へら１４を示している。本脳へら１４は、純度９７．００ｗｔ％〜９９．９９ｗｔ％の錫を鋳造して形成されており、先端に向かうにつれて細くなった帯板状となっている。本脳へら１４は、図３（ｂ）に示すように、先端部１４ａを軽い力で自由に曲げることができ、且つ曲げた形を維持することができるので、脳膜や脳の組織を剥離したりする繊細な作業が容易に行える。
【００１５】
図４は、本発明の医療器具の第４実施形態であって、手術の際に医師が手を置く台として用いるマイクロハンドアーム１５を示している。本マイクロハンドアーム１５は、アーム部１６が純度９７．００ｗｔ％〜９９．９９ｗｔ％の錫を鋳造し直径２０〜３０ｍｍ程度の丸棒状に形成してあり、自由に曲げることができ、且つ曲げた状態を維持することができる。アーム部１６の末端部１６ｂは、アルミ等の金属で形成したベース金具７に埋め込み、ネジ８で固定してある。ベース金具７は、ベッド９のフレームに固定できるようになっている。アーム部１６の先端部１６ａは、潰して板状にしてある。
手術の際、医師が本マイクロハンドアーム１５のアーム部１６に手を載せることで、フレキシブルに手術器具を操作することができ、且つ反発力が無く簡易に固定できるので、超マイクロ血管手術等の細かい作業を行うのを容易にする。本マイクロハンドアーム１５は、整形外科、耳鼻科、脳外科、形成外科、口膣外科、産婦人科、胸部外科等の診療科で利用することができる。
【００１６】
図５は、本発明の医療器具の第５実施形態であって、外科手術の際に水や血等を受け止めるポリ袋１７を保持するために用いられる排水ガード１８を示している。本排水ガード１８は、純度９７．００ｗｔ％〜９９．９９ｗｔ％の錫を鋳造し直径５〜１０ｍｍ程度の丸棒状に形成してあり、両端部がステンレス製のパイプよりなる保持部２，２に埋め込んである。保持部２内には、図１（ｂ）と同様に、先端に太径部３を有するピン４が設けてある。本排水ガード１８は、円弧状に曲げて両保持部２，２をベッド９からのばしたアーム１９，１９の取付孔２０，２０に差し込み、止めネジ１３，１３で固定して取付けられ、本排水ガード１８とアーム１９，１９間に渡した横桟２１とに市販のポリ袋１７の開口縁部を引っ掛け、図示しないクリップでポリ袋１７を固定し、床への水漏れを防止する。本排水ガード１８は、純度９７．００ｗｔ％〜９９．９９ｗｔ％の錫で形成したことで、自由に変形させて位置を変えることができ、床への水漏れを確実に防ぐことができると共に、足で押したりすれば容易に変形するため、排水ガード１８が医師の作業の邪魔になるのを回避できる。
【００１７】
図６は、本発明の医療器具の第６実施形態であって、手を開いた状態で保持する手開き具２２を示している。本手開き具２２は、純度９７．００ｗｔ％〜９９．９９ｗｔ％の錫を板状に鋳造した後、はさみで切断して形成される。本手開き具２２は、全長が１５０〜２００ｍｍ、厚みが２〜５ｍｍ程度で、両端部に幅広の部分２３ａ，２３ｂが形成され、中間部にこれより幅の狭い帯状の繋ぎ部２４を有する。
本手開き具２２は、図７に示すように、一方の幅広の部分２３ａを手の親指と人差し指の間にはさみ、繋ぎ部２４を手の甲に沿わせるようにして曲げ、他方の幅広の部分２３ｂを小指の下で手のひら側に折り返して使用する。脳梗塞等で手の指が自由に動かせなくなると、手の指が曲がって硬直するが、本手開き具２２を用いることで、手を開いた状態で保持することができる。本手開き具２２は、純度９７．００ｗｔ％〜９９．９９ｗｔ％の錫で形成したことで、非常に柔らかいため、手によくなじんで使用者に不快感を与えない。
【００１８】
本発明は以上に述べた実施形態に限定されない。本発明の医療器具は、純度９７．００ｗｔ％〜９９．９９ｗｔ％の錫で形成されていればよく、形状や用途は限定されるものではなく、医療分野において幅広く応用できる。保持部の材質は、容易に傷ついたり変形したりすることがなく、繰り返しの使用に耐えうる材質であればよく、例えばステンレスやチタンとすることができる。抜け止め部の形状は、適宜変更することができ、例えばピンを設ける代わりに、保持部の内面に突起を設けたものでもよい。
【符号の説明】
【００１９】
１  脳へらアーム（医療器具）
２  保持部
３  太径部（抜け止め部）
４  ピン
５  フレキシブルアーム（医療器具）
１４  脳へら（医療器具）
１５  マイクロハンドアーム（医療器具）
１８  排水ガード（医療器具）
２２  手開き具（医療器具）
【図１】
0005416751.tif 000002
【図２】
0005416751.tif 000003
【図３】
0005416751.tif 000004
【図４】
0005416751.tif 000005
【図５】
0005416751.tif 000006
【図６】
0005416751.tif 000007
【図７】
0005416751.tif 000008